(57)【要約】【課題】  供物を収容した供物用食器を運びやすくし、また運んでいる最中に供物用食器を倒したりすることなく、更には順序よく所定の配置位置に供物用食器を綺麗に載置することができ、供えた後に供物用食器を隠して見えなくしてしまわない供物用膳並びにこれを供えた供物用食器セットを提供する。【解決手段】  供物用膳２は、複数の供物用食器１を設置するための各供物用食器１に対応した複数の設置穴２１Ａ、２１Ｂ、２１Ｃ、２１Ｄ、２１Ｅを有した一枚の平板状のもので、且つ前記各設置穴２１Ａ、２１Ｂ、２１Ｃ、２１Ｄ、２１Ｅは、設置される供物用食器１の底面の最大径よりも大きく、且つ供物用食器１全体における最大径よりも小さく寸法設定されていることを特徴とする。【選択図】図１
2006051149.tif 000002
【特許請求の範囲】
【請求項１】
複数の供物用食器を載置する膳において、この膳は、複数の供物用食器を設置するための各供物用食器に対応した複数の設置穴を有した一枚の平板状のもので、且つ前記各設置穴は、設置される供物用食器の底面の最大径よりも大きく、且つ供物用食器全体における最大径よりも小さく寸法設定されていることを特徴とする供物用膳。
【請求項２】
前記設置穴の周縁には、供物用食器及び供物の何れか一方または双方の名称が記されていることを特徴とする請求項１記載の供物用膳。
【請求項３】
前記設置穴を有した板本体の底面に、この板本体を載置面からわずかに浮かせた状態で支持するための脚体が設けられていることを特徴とする請求項１または２記載の供物用膳。
【請求項４】
前記設置穴は、米を盛る皿を設置するための設置穴と、塩を盛る皿を設置するための設置穴と、水を収容する水玉を設置するための設置穴と、酒を収容する二つの瓶子を設置するための二つの設置穴との合計五つの設置穴が開口されていることを特徴とする請求項１、２または３記載の供物用膳。
【請求項５】
複数の供物用食器を設置するための各供物用食器に対応した複数の設置穴を有した一枚の平板状のもので、且つ前記各設置穴は、設置される供物用食器の底面の最大径よりも大きく、供物用食器全体における最大径よりも小さく寸法設定された供物用膳と、この供物用膳の各設置穴に設置される供物用食器とを具えて成ることを特徴とした供物用膳を具えた供物用食器セット。
【発明の詳細な説明】
【技術分野】
【０００１】
本発明は神棚等へ供物を収容した供物用食器を運んだり、供えたりするための供物用膳並びにこれを具えた供物用食器セットに関するものである。
【背景技術】
【０００２】
従来、神棚へお供えをするのに用いる供物用食器としては、米または塩を盛る皿（平瓮）、水を入れる水玉（水器）、酒を入れる瓶子（平子）などがあり、一方、これら供物を収容した供物用食器を運んだり、神棚へ供える霊供膳としては、折敷や三方がある。
一般的に前記瓶子は、ひょうたん形状をし、前記水玉は略球形状をしており、安定性が悪く転倒しやすい。このため、折敷や三方などの霊供膳に、載置して運ぶ場合には、転倒しないようにかなりの注意力を要するという問題点がある。
【０００３】
因みに仏前供え用の供物用膳としては、供物用食器を運びやすく、振動等があっても供物用食器を転倒しにくくするものとして、膳を各供物用食器を収容する穴を設けた立体的な形状とするものが従来技術としてあった（特許文献１、２参照）。
しかしながら、このような仏前供え用の供物用膳の発明を、神棚供え用の供物用膳に適用した場合には、神棚は高所に載置されることが多いため、斜め下方から神棚を見上げた際に供物用膳が食器を隠し、拝礼者の心理的な充足感を損なってしまう感があった。
【０００４】
また神棚へ供物を収容した供物用食器を供える際の供物用食器の並べ方は、風習等の差はあるものの、一定の並べ方があるもので、不慣れな者にとっては、置く順序がわからなかったり、間違えたりすることがあった。
【特許文献１】実開昭５８−３４６８４号公報
【特許文献２】実開平０５−１８３８１号公報
【発明の開示】
【発明が解決しようとする課題】
【０００５】
本発明はこのような背景からなされたものであって、供物を収容した供物用食器を運びやすくし、また運んでいる最中に供物用食器を倒したりすることなく、更には順序よく所定の配置位置に供物用食器を綺麗に載置することができ、供えた後に供物用食器を隠して見えなくしてしまわない供物用膳並びにこれを供えた供物用食器セットを実現しようとするものである。
【課題を解決するための手段】
【０００６】
すなわち請求項１記載の供物用膳は、複数の供物用食器を載置する膳において、この膳は、複数の供物用食器を設置するための各供物用食器に対応した複数の設置穴を有した一枚の平板状のもので、且つ前記各設置穴は、設置される供物用食器の底面の最大径よりも大きく、且つ供物用食器全体における最大径よりも小さく寸法設定されていることを特徴として成るものである。
【０００７】
また請求項２記載の供物用膳は、前記請求項１記載の要件に加え、前記設置穴の周縁には、供物用食器及び供物の何れか一方または双方の名称が記されていることを特徴として成るものである。
【０００８】
更に請求項３記載の供物用膳は、前記請求項１または２記載の要件に加え、前記設置穴を有した板本体の底面に、この板本体を載置面からわずかに浮かせた状態で支持するための脚体が設けられていることを特徴として成るものである。
【０００９】
更にまた請求項４記載の供物用膳は、前記請求項１、２または３記載の要件に加え、前記設置穴は、米を盛る皿を設置するための設置穴と、塩を盛る皿を設置するための設置穴と、水を収容する水玉を設置するための設置穴と、酒を収容する二つの瓶子を設置するための二つの設置穴との合計五つの設置穴が開口されていることを特徴として成るものである。
【００１０】
更にまた請求項５記載の供物用膳を具えた供物用食器セットは、複数の供物用食器を設置するための各供物用食器に対応した複数の設置穴を有した一枚の平板状のもので、且つ前記各設置穴は、設置される供物用食器の底面の最大径よりも大きく、供物用食器全体における最大径よりも小さく寸法設定された供物用膳と、この供物用膳の各設置穴に設置される供物用食器とを具えて成ることを特徴として成るものである。
【発明の効果】
【００１１】
本発明の供物用膳並びにこれを供えた供物用食器セットは、上述した手段により以下のような効果を奏するものである。
すなわち請求項１記載の供物用膳によれば、供物用食器を載置して運搬する際に、供物用食器が設置穴に支持されるため、転倒したり、動いたりしない。また供物用膳を神棚前へ載置した際には、供物用膳が平板状のものであり、供物用食器の下端に位置するため、供物用食器を隠して見えなくしてしまうことがない。また設置穴の位置で供物用食器が並べられるため、非常に綺麗に並べられる。
【００１２】
また請求項２記載の供物用膳によれば、設置穴の周縁には、供物用食器及び供物の何れか一方または双方の名称が記されているため、供物用食器を並べる順序がわからなくなったり、間違えたりしない。
【００１３】
更に請求項３記載の供物用膳によれば、板本体を載置面からわずかに浮かせた状態で支持するための脚体が設けられているため、供物用膳を持ち上げる際に板本体と、載置面との隙間の間に指を差し込み入れやすく、持ち上げやすい。従って供物用食器を持ち上げる際に姿勢を傾かせずに持ち上げることができ、手を滑らせて供物用膳を落としてしまうようなことがない。
【００１４】
更にまた請求項４記載の供物用膳によれば、神棚に供える供物は、一般的に米、塩、水、酒と決まっており、またこれらを収容する容器も一般に共通し、形状も同じであるため、五つの設置穴が開口されている本発明の供物用膳は、神棚使用者に広く用いられることが可能である。
【００１５】
更にまた請求項５記載の供物用膳を具えた供物用食器セットによれば、上述した複数の設置穴が開口した一枚の平板状の供物用膳と、前記設置口に設置される供物用食器がセットとなっているため、供物用膳に適応した供物用食器を探す手間が省け、また全く知識のない初めて買う人にも簡単に正しい使用方法により使用することができる。また使用時において供物用食器が供物用膳の設置穴に支持されるため、供物用食器を載置して運搬する際に、転倒したり、動いたりしない。また供物用膳を神棚前へ載置した際には、供物用膳が平板状のものであり、供物用食器の下端に位置するため、供物用食器を隠して見えなくしてしまうことがない。また設置穴の位置で供物用食器が並べられるため、非常に綺麗に並べられる。
【発明を実施するための最良の形態】
【００１６】
本発明の最良の形態は、具体的には以下の実施例に述べる通りである。
【実施例１】
【００１７】
以下本発明を図示の実施の形態に基づき説明する。なお以下の説明にあたっては、本発明に係る供物用膳を具えた供物用食器セットの説明をすることにより、併せて本発明に係る供物用膳の説明を行う。
図中符号Ａで示すものが、本発明に係る供物用膳を具えた供物用食器の実施例であり、このものは、供物Ｋを収容する供物用食器１と、これらを持ち運ぶとともに神棚Ｂ前に載置する供物用膳２とから成る。
【００１８】
まず供物用食器１について説明する。このものは、供物用膳２に適応した大きさのものであるという以外は、一般的に流通している神具の供物用食器と特に変わるところはなく、一つの水玉１１と、二つの瓶子１２、１３と、二枚の皿１４、１５とを具えて成る。
【００１９】
前記水玉１１は、水Ｗを入れる容器であって蓋１１ａを有した略球形状のものであり、また前記二つの瓶子１２、１３は、酒Ｌを入れる蓋１２ａ、１３ａを有したひょうたん状のものであり、更に前記二枚の皿１４、１５は米Ｒ及び塩Ｓを盛るためのものであって円形小皿状のものである。なお各供物用食器１は、図２（ｂ）に示されるように供物用食器底面の最大径Ｄ２よりも、供物用食器全体の最大径Ｄ１の方が大きい形状をしているが、このことは本発明の特徴的構成ではなく、一般的に流通している供物用食器もこのような形状をしている。従って本発明に係る供物用膳２は、一般的に流通している供物用食器を対象として単独で実施し得るものである。
【００２０】
次に本発明の特徴的構成である供物用膳２について説明する。
供物用膳２は、複数の供物用食器１を設置するための各供物用食器１に対応した複数の設置穴２１Ａ、２１Ｂ、２１Ｃ、２１Ｄ、２１Ｅを有した一枚の平板状の板本体２０と、脚体２３とを具えて成る。
【００２１】
前記板本体２０について説明する。板本体２０は、一例として木製の横長矩形状の平板であり、横一列に五つの円形の設置穴２１Ａ、２１Ｂ、２１Ｃ、２１Ｄ、２１Ｅが開口されている。また五つの設置穴２１Ａ、２１Ｂ、２１Ｃ、２１Ｄ、２１Ｅの前縁部には、各設置穴２１Ａ、２１Ｂ、２１Ｃ、２１Ｄ、２１Ｅに設置する供物用食器１と供物Ｋの名称２２Ａ、２２Ｂ、２２Ｃ、２２Ｄ、２２Ｅが記されている。本実施例では、一例として左から水玉１１、瓶子１２、米Ｒを盛った皿１４、瓶子１３、塩Ｓを盛った皿１５の順序に設置される。そして前記設置穴２１Ａ、２１Ｂ、２１Ｃ、２１Ｄ、２１Ｅは、その径Ｄ０がこれら設置される供物用食器底面の最大径Ｄ２よりも大きく、且つ供物用食器全体の最大径Ｄ１よりも小さく寸法設定されている。なお一例として本実施例では、供物用食器１の形状に合わせて皿１４、１５の設置穴２１Ｃ、２１Ｅは、水玉１１及び瓶子１２、１３の設置穴２１Ａ、２１Ｂ、２１Ｄよりも大きな穴としているが、水玉１１及び瓶子１２、１３の設置穴２１Ａ、２１Ｂ、２１Ｄと同一の大きさの穴で実施することも可能である。また板本体２０の厚さは一例として９ｍｍであり、供物用膳２の高さは、１５ｍｍに設定されている。
【００２２】
前記脚体２３について説明する。脚体２３は、板本体２０の底面左右両端部に設けられるものであり、一例として高さ約６ｍｍの矩形棒状のものが接着されている。このように脚体２３を設けて板本体２０を浮かすことにより、使用者が供物用膳２を移動する際に持ちやすくしている。なお本発明に係る供物用膳２は、持ち上げ時の取扱性は悪くなるが、脚体２３をなくして実施することも可能である。
【００２３】
本発明に係る供物用膳２を具えた供物用食器セット１は一例として以上のようにして成り、以下この使用態様について説明する。
まず台所等で、各供物用食器１に対応した供物Ｋを収容し、各供物用食器１をそれぞれ対応した供物用膳２の各設置穴２１Ａ、２１Ｂ、２１Ｃ、２１Ｄ、２１Ｅへ設置する。このときそれぞれ供物Ｋの名称２２Ａ、２２Ｂ、２２Ｃ、２２Ｄ、２２Ｅが記されているため、設置位置を間違うことがない。
【００２４】
そして図２（ａ）に示されるように各供物用食器１を各設置穴２１Ａ、２１Ｂ、２１Ｃ、２１Ｄ、２１Ｅへ設置した際に、水玉１１と皿１４、１５は設置穴２１Ａ、２１Ｃ、２１Ｅの周縁で掛け止められた状態であり、一方、瓶子１２、１３は、底面が下の載置個所のテーブル上等に立っている状態である。そして瓶子１２、１３は供物用膳２を持ち上げた際に、図２（ｂ）に示すように中間高さ付近で掛け止められる。なお持ち上げる時に載置面と板本体２０との間に隙間Ｇがあるため、指を差し込み入れやすく、姿勢を傾かせずに持ち上げることが行いやすく、滑り落とすようなことも生じにくい。
【００２５】
また神棚Ｂまでの運搬時、供物用食器１が供物用膳２の設置穴２１Ａ、２１Ｂ、２１Ｃ、２１Ｄ、２１Ｅに掛け止められているため、安定がよく、転倒の虞がない。そして本発明に係る供物用膳２を具えた供物用食器セット１を神棚Ｂまで運搬したら、神棚Ｂ前へ載置するだけでよく、供物用食器１は綺麗に順番通り載置される。そして供物用膳２は全体として平板状で高さが低いため、供物用食器１を隠して見えなくしてしまうことがない。因みに拝礼の際には、水玉１１の蓋１１ａと瓶子１２、１３の蓋１２ａ、１３ａは取って拝礼を行うものである。
【実施例２】
【００２６】
また供物用膳２は、奥行きを長く形成し、図５に示すように、供物用食器１を二段に並べて設置することができる。この場合の標準的な供物用食器１の並べ方として本実施例では、神棚Ｂに近い側の列の中央に米Ｒを盛った皿１４を設置し、その両脇に酒Ｌを入れた瓶子１２、１３を設置し、前列右側に塩Ｓを盛った皿１５を設置し、前列左側に水Ｗを入れた水玉１１を設置するように、設置穴２１Ａ、２１Ｂ、２１Ｃ、２１Ｄ、２１Ｅが開口されるとともに、設置穴２１Ａ、２１Ｂ、２１Ｃ、２１Ｄ、２１Ｅの前縁にその供物用食器１と供物Ｋの名称２２Ａ、２２Ｂ、２２Ｃ、２２Ｄ、２２Ｅが記されている。
【実施例３】
【００２７】
また図６に示されるように、供物用膳２の各設置穴２１Ａ、２１Ｂ、２１Ｃ、２１Ｄ、２１Ｅの周縁に記される供物用食器１または供物Ｋの名称２２Ａ、２２Ｂ、２２Ｃ、２２Ｄ、２２Ｅは、予め板本体２０に印字等により書き記して提供する他、供物用食器１または供物Ｋの名称２２Ａ、２２Ｂ、２２Ｃ、２２Ｄ、２２Ｅを印字等により書き記した名称シール２５を添付して提供することが可能である。このようにした場合には、風習等により供物用食器１の設置位置が標準的な設置位置と異なる場合にも適応できるとともに、家族全員が覚えてしまった場合、あるいは最初から知っているため、供物用食器１や供物Ｋの名称２２Ａ、２２Ｂ、２２Ｃ、２２Ｄ、２２Ｅを記しておく必要がない場合には、名称シール２５を剥がすまたは最初から貼らないで使用することが可能である。
【図面の簡単な説明】
【００２８】
【図１】本発明の供物用食器セットを神棚前へ供えた状態を示す斜視図である（実施例１）。
【図２】同上、設置時と持ち上げ時の各状態を対比して示す縦断側面図である（実施例１）。
【図３】本発明の供物用膳を示す平面図である（実施例１）。
【図４】同上、底面図である（実施例１）。
【図５】供物用食器を二段に並べて設置するタイプの本発明の供物用膳を示す斜視図である（実施例２）。
【図６】供物用食器の並べ順序を使用者において選択自在とした本発明の供物用膳を示す平面図である（実施例３）。
【符号の説明】
【００２９】
Ａ        供物用膳を供えた供物用食器セット
１        供物用食器
２        供物用膳
１１      水玉
１１ａ    蓋
１２      瓶子
１３      瓶子
１２ａ    蓋
１３ａ    蓋
１４      皿
１５      皿
２０      板本体
２１Ａ    設置穴
２１Ｂ    設置穴
２１Ｃ    設置穴
２１Ｄ    設置穴
２１Ｅ    設置穴
２２Ａ    名称
２２Ｂ    名称
２２Ｃ    名称
２２Ｄ    名称
２２Ｅ    名称
２３      脚体
２５      名称シール
Ｂ        神棚
Ｄ０      設置穴の径
Ｄ１      供物用食器全体の最大径
Ｄ２      供物用食器底面の最大径
Ｇ        隙間
Ｋ        供物
Ｌ        酒
Ｒ        米
Ｓ        塩
Ｗ        水
【図１】
2006051149.tif 000003
【図２】
2006051149.tif 000004
【図３】
2006051149.tif 000005
【図４】
2006051149.tif 000006
【図５】
2006051149.tif 000007
【図６】
2006051149.tif 000008